(57)【要約】      （修正有）【課題】可動フィンと操作ノブの回動に伴う見栄えの低下を、簡単な構造で解決できる空調用レジスタを提供する。【解決手段】吹出口の近くに、上下方向の略中央に、空気の流れ方向と略平行な固定前フィンと、該固定前フィンの上流側に設置され、該固定前フィンに対して回動できる可動後フィンとから成る下流メインフィン４１と、前記固定前フィンに回転できないフレーム６０と、前記フレームに対して回動できるジョグダイヤル６３と、後記下流駆動フィンと連結し、該ジョグダイヤルの回動を、下流フィンへ伝える連結ロッドとから成る操作ノブ６を有し、該ジョグダイヤルの操作で、連動される下流駆動フィン及び、下流連結ロッドにより連結された可動後フィンと下流補助フィンを回動する。【選択図】図１
2020093670.tif 000002
【特許請求の範囲】
【請求項１】
空調用空気の通風路と吹出口を形成する管状体と、
前記吹出口における上下方向の略中央位置において、該吹出口を横切る下流メインフィンと、
前記下流メインフィンの上下方向の上または下位置の一方において、該吹出口を横切る下流駆動フィンと、
前記下流メインフィンの上下方向の上、下位置の他方において、該吹出口を横切る下流補助フィンと、
前記下流メインフィンと、前記下流駆動フィンと、前記下流補助フィンと連動するための下流連結ロッドと、
前記下流メインフィンに設置される操作ノブと、を備え、
前記下流メインフィンが、前記管状体に固定され、前記空調用空気の流れ方向と略平行とされた固定前フィンと、前記管状体に軸支され、前記固定前フィンの上流側に隣接して設置され、且つ該固定前フィンに対して回動する可動後フィンとからなり、
前記下流駆動フィンと前記下流補助フィンが、前記管状体に軸支され、前記可動後フィンとの間で略平行な位置関係を保持しつつ回動するように、各フィンの回転軸よりも上流側に設置された連結ピンが、前記下流連結ロッドの連結穴に挿通されることで互いに連結され、
前記操作ノブが、前記固定前フィンを挟んで、取り付けられたフレームと、該フレームに軸支され、該フレームに対して回動可能に取り付けられたジョグダイヤルと、前記ジョグダイヤルの回動を前記下流駆動フィンの回動として伝える伝達ロッドと、からなり、
前記ジョグダイヤルを回動することで、前期伝達ロッドを介して、前記下流駆動フィンを回動し、これにより前記下流連結ロッドを介して前記可動後フィンと前記下流補助フィンを回動させること、を特徴とする空調用レジスタ。
【請求項２】
前記下流メインフィンの上流側に、該下流メインフィンと直交する方向に沿って設置され、上下方向の回転軸により回動できる、複数枚の上流フィンと、
前記複数枚の上流フィンの回動を略平行とするように、其々の回転軸よりも上流側に設置された連結ピンと、
前記連結ピンに対応的に挿通される連結穴が設置される上流連結ロッドと、
前記操作ノブのフレームから、上流側へ延長する連結アームと、
を備え、
前記連結アームの上流端に、前記下流メインフィンの長手方向に沿って伝達ラックを設け、
前記複数枚の上流フィンは、その下流側に、前記伝達ラックと噛み合う上流ギヤを備える上流メインフィンと、該上流メインフィン以外の複数枚の上流サブフィンが含まれ、
前記操作ノブが、前記固定前フィンの長手方向に沿ってスライドでき、
且つ前記操作ノブのスライド範囲、前記上流フィンの形状と前記管状体の相応位置の形状が、前記複数枚の上流フィンが、乗客へ指向する状態から、空調用空気の流れ方向と略平行するニュートラル状態を経って、隣の上流フィンが互いに接触し、且つ両側の上流サブフィンが前記管状体の壁と干渉せず、前記通風路を閉める状態まで調整できるように設置されることを特徴とする請求項１に記載の空調レジスタ。
【請求項３】
前記管状体は、前記吹出口に、上下壁が、該吹出口に近づくほど縮径する傾斜面を有し、
前記下流駆動フィンの回動軸と、前記下流補助フィンとの回動軸は、前記相応の傾斜面の下流端に設置された下流軸受けに支えられ、
前記下流連結ロッドにより、前記ジョグダイヤルにより駆動された下流駆動フィンと、前記下流連結ロッドにより、該下流駆動フィンと同期的に回動する前記可動後フィンと、前記下流補助フィンが、相応の前記傾斜面と平行になるまで回動できることを特徴とする請求項１〜２のいずれか１項に記載の空調用レジスタ。
【発明の詳細な説明】
【技術分野】
【０００１】
本発明は、空調装置から送られてきた空気を通風路の吹出口から吹出す空調用レジスタに関し、より詳しくは、前記空気の上下方向の風向きを規定する下流フィンの回動が見えないようにコントロールするノブが設けられた空調用レジスタに関する。
【背景技術】
【０００２】
特許文献１〜２に、固定前フィンと可動後フィンとを有するフィン構造が開示されている。例えば、特許文献１の固定フィンと可動フィンとの構造では、固定フィンにより可動フィンを隠すことを可能にしている。特許文献３では、上下の下流補助フィンの動きが見えないように、管状体の上下の壁の下流端の傾斜面を設けている。
【０００３】
このような空調レジスタでは、可動フィンを駆動するために、中央に位置する下流メインフィンに組付けた操作ノブ、全体が大きく回動してしまい、見栄えを損ねてしまう。という問題がある。近年、薄型の空調レジスタが出回ってきており、吹出口の高さ方向における操作ノブの占める割合が大きく、特に問題である。
【先行技術文献】
【特許文献】
【０００４】
【特許文献１】実開昭６３−５７４５７号公報
【特許文献２】特開２０１６−１５３２９５号公報
【特許文献３】特開２０１３−１１６６５０号公報
【発明の概要】
【発明が解決しようとする課題】
【０００５】
本発明は上記の事情に鑑みてなされたものであり、可動フィンと操作ノブの回動に伴う見栄えの低下を、簡単な構造で解決できる空調用レジスタを提供することを課題とする。
【課題を解決するための手段】
【０００６】
上記課題を解決する為に、本発明は、
空調用空気の通風路と吹出口を形成する管状体と、
前記吹出口における上下方向の略中央位置において、該吹出口を横切る下流メインフィンと、
前記下流メインフィンの上下方向の上または下位置の一方において、該吹出口を横切る下流駆動フィンと、
前記下流メインフィンの吹出上下方向の上、下位置の他方において、該吹出口を横切る下流補助フィンと、
前記下流メインフィンと、前記下流駆動フィンと、前記下流補助フィンとを連動させるための下流連結ロッドと、
前記下流メインフィンに設置される操作ノブと、を備え、
前記下流メインフィンが、前記管状体に固定され、前記空調用空気の流れ方向と略平行とされた固定前フィンと、前記管状体に軸支され、前記固定前フィンの上流側に隣接して設置され、且つ該固定前フィンに対して回動する可動後フィンとからなり、
前記下流駆動フィンと前記下流補助フィンが、前記管状体に軸支され、前記可動後フィンとの間で略平行な位置関係を保持しつつ回動するように、各フィンの回転軸よりも上流側に設置された連結ピンが、前記下流連結ロッドの連結穴に挿通されることで互いに連結され、
前記操作ノブが、前記固定前フィンを挟んで取り付けられたフレームと、該フレームに軸支され、該フレームに対して回動可能に取り付けられたジョグダイヤルと、前記ジョグダイヤルの回動を、前記下流駆動フィンの回動として伝える伝達ロッドと、からなり、
前記ジョグダイヤルを回動することで、前期伝達ロッドを介して前記下流駆動フィンを回動し、これにより前記下流連結ロッドを介して前記可動後フィンと、前記下流補助フィンを回動させること、を特徴とする空調用レジスタ、を要旨する。
【発明の効果】
【０００７】
固定前フィンにより、可動後フィンの動きを見せにくくしつつ、また操作ノブのフレームが回動することなく、その一部のジョグダイヤルだけ回転することで、見栄えが良く、見た目がすっきりした空調レジスタとすることができ、デザインの自由度が大きく向上する。
【図面の簡単な説明】
【０００８】
【図１】ジョグダイヤルがニュートラル位置にいる本発明のレジスタの外観を示す正面図である。
【図２】ジョグダイヤルがニュートラル位置にいる本発明のレジスタの外観を示す右面図である。
【図３】ジョグダイヤルがニュートラル位置にいる本発明のレジスタの外観を示す平面図である。
【図４】ジョグダイヤルがニュートラル位置にいる本発明のレジスタの外観を示す斜視図。
【図５】本発明のレジスタの分解斜視図である。
【図６】本発明のレジスタの伝動機構を示す分解斜視図である。
【図７】本発明のレジスタの操作ノブを示す分解斜視図である。
【図８】ジョグダイヤルがニュートラル位置にいる本発明のレジスタの伝動機構を示す中間縦方向断面図である。
【図９】ジョグダイヤルが上向き位置にいる本発明のレジスタの伝動機構を示す中間縦方向断面図である。
【図１０】ジョグダイヤルが下向き位置にいる本発明のレジスタの伝動機構を示す中間縦方向断面図である。
【図１１】ジョグダイヤルがニュートラル位置にいる本発明のレジスタの操作ノブを示す三面図である。
【図１２】ジョグダイヤルが上向き位置にいる本発明のレジスタの操作ノブを示す三面図である。
【図１３】ジョグダイヤルが下向き位置にいる本発明のレジスタの操作ノブを示す三面図である。
【図１４】上流フィンがニュートラル位置にいる本発明のレジスタの水平方向断面図である。
【図１５】上流フィンが乗員向け位置にいる本発明のレジスタの水平方向断面図である。
【図１６】上流フィンが閉位置にいる本発明のレジスタの水平方向断面図である。
【図１７】ジョグダイヤルが上向き位置にいる本発明のレジスタの組立の外観を示す斜視図である。
【図１８】ジョグダイヤルが下向き位置にいる本発明のレジスタの組立の外観を示す斜視図である。
【発明を実施するための形態】
【０００９】
以下、本発明に係る実施形態を詳細に説明する。なお、本発明で用いた「前」、「後」、「左」、「右」、「上」、「下」の方向は、乗員が車両の前方を向いて座る時の、乗員の「前」、「後」、「左」、「右」、「上」、「下」の方向と一致している。
【００１０】
本発明の第１実施形態に係るレジスタ１は、図１〜図１６に示される。
【００１１】
図１〜図４に示すように、空調用レジスタ１は、管状体２と、ベゼル３と、下流フィン４と、上流フィン５と、操作ノブ６と、を備えている。次に、空調用レジスタ１を構成する各部の構成について説明する。
管状体２：
【００１２】
図１〜図５に示すように、管状体２は、管状体本体２０と、上リテーナー２１Ａと、下リテーナー２１Ｂと、左リテーナー２１Ｃと、右リテーナー２１Ｄとから成るリテーナー２１と、を備えて、空調用空気の通風路と吹出口を形成する。
上リテーナー２１Ａと、下リテーナー２１Ｂと、左リテーナー２１Ｃと、右リテーナー２１Ｄは、相応の位置に軸受け穴と固定穴とを設けて、後述の下流フィンと上流フィンを、回転できるよう軸支する。
上リテーナー２１Ａと、下リテーナー２１Ｂは、吹出口の近くに、其々、該吹出口と近ければ近いほど中央に近づく傾斜面を設ける。
ベゼル３：
【００１３】
吹出口の下流側に設置され、管状体２の管状体本体２０と相応的に設けられた係止爪と係止穴が互いに勘合して固定される。
下流フィン４：
【００１４】
吹出口の近くに、下流メインフィン４１、下流駆動フィン４２と下流補助フィン４３からなる下流フィン４が設置される。
下流メインフィン４１は、上下方向の略中央位置において、該吹出口を横切るように設置される。前記下流駆動フィン４２は、前記下流メインフィン４１の下に、該吹出口を横切るように設置される。前記下流補助フィン４３は、前記下流メインフィン４１の上に、該吹出口を横切るように設置される。
下流メインフィン４１は、前記左右リテーナー２１Ｃ、２１Ｄに固定され、前記空調用空気の流れ方向と略平行している固定前フィン４１Ａと、該固定前フィンの上流側に隣接して設置され、且つ該固定前フィンに対して回動できるように、左右リテーナー２１Ｃ、２１Ｄに軸支される可動後フィン４１Ｂとから成る。
下流フィン４の下流駆動フィン４２と、下流補助フィン４３と、可動後フィン４１Ｂとは、其々のフィンの長手方向に沿って位置する回動軸により回動できるように、左、右リテーナー２１Ｃ、２１Ｄの軸受けに軸支される。
固定前フィン４１Ａの長手方向の略中央位置には、後述の操作ノブのスライド範囲を限定するため、上下方向へ突出するストッパー４１Ｓを設けている。
下流駆動フィン４２は、その上流側に、長手方向の略中央の位置に凹部を設け、該凹部の中に、後述の操作ノブ６の伝達ロッド６４の駆動嵌合部６４Ｂと嵌合するために、回転軸と平行な受動嵌合軸４２Ｓを設けている。
下流フィン４の下流駆動フィン４２と、下流補助フィン４３とは、可動後フィン４１Ｂは、それぞれの長手方向の一端に、各自の回動軸の上流側に、連結ピンを設けて、“く”字状の下流連結ロッド４４の相応位置の連結穴に挿通し、下流駆動フィン４２の回動に従って、可動後フィン４１Ｂと、下流補助フィン４３が、それぞれの回動軸により、同期的に回動するように連結される。
上流フィン５：
【００１５】
下流メインフィン４の上流側に、該下流メイン４と直交する方向に沿って設置され、其々前記設置方向の上流軸により回動できるように、上、下リテーナー２１Ａ、２１Ｂの相応位置の軸受けにより軸支される複数枚の上流フィン５を有する。
複数枚の上流フィン５は、分布方向の略中央位置に設置され、後述の操作ノブ６と連結した構造が設けられ、該操作ノブ６のスライド動作に従って、回動する上流駆動フィン５１と、該上流駆動フィンの両側に位置する複数枚の上流補助フィン５２とを含む。
複数枚の上流補助フィン５２と上流駆動フィン５１の回動が、略平行な位置関係で回動するために、上流フィン５の上流軸に沿う方向の一端に、該上流軸の上流側に設置された連結ピンを設け、対応する上流連結ロッド５３の連結穴と嵌め合って、上流駆動フィン５１と上流補助フィン５２が、同期的に回動できる。
上流駆動フィン５１に、後述の操作ノブ６のスライド動作に従って自身が回動するために、操作ノブ６の上流端側の相応位置に、該上流駆動フィン５１の回転軸を中心とする上流ギヤ構造５１Ｇを設けている。
図１４〜図１６に示すように、上流フィン５は、乗員に向ける送風位置から、管状体本体２０の左、右壁２０Ｃ、２０Ｄと略平行なニュートラル位置を経て、互いに接触して、空調用空気の通路を閉める位置まで回転できるような形状、サイズと位置関係である。
上流補助フィンは閉位置でのシール性を確保するために、管状体本体２０の左、右壁２０Ｃ、２０Ｄの相応位置に、分布方向の両端に設置される上流補助フィンと干渉しないように段差を設けられている。また上流駆動フィン５１の上流ギヤ５１Ｇと干渉しないように、該上流駆動フィン５１の左側に隣接する上流補助フィンの相応位置に、開口が設けられている。
操作ノブ６：
【００１６】
操作ノブ６が、固定前フィン４１Ａを挟まれ、上フレーム６１と下フレーム６２から成るフレーム６０と、前記フレームに対して回動できるように、該フレームに軸支されるジョグダイヤル６３と、下流駆動フィン４２と連結し、ジョグダイヤル６３の回動を、該下流駆動フィン４２の回動として伝える伝達ロッド６４と、から成る。
下フレーム６２は、上流駆動フィンと連結するために、該上流駆動フィン５１のギヤ構造５１Ｇに向かって延長する連結アーム６２Ａと、該連結アーム６２Ａの上流端に設けられ、固定前フィン４１Ａの長手方向（操作ノブ６のスライド方向）に沿って、上流駆動フィン５１のギヤ構造５１Ｇと噛み合う伝達ラック６２Ｒとを有する。また、該連結アーム６２Ａは、ジョグダイヤル６３の伝達アーム６３Ａの回動を邪魔しないように、相応位置に、該伝達アーム６３Ａが通過できる開口を設けている。
ジョグダイヤル６３は、連結アーム６２Ａの開口を通って、上流側延長する伝達アーム６３Ａと、該伝達アーム６３Ａの上流端に、伝達ロッド６４の受動嵌合部６４Ａと嵌め合うための駆動嵌合軸６３Ｓと、を備える。  
伝達ロッド６４は、両端に受動嵌合部６４Ａと、駆動嵌合部６４Ｂを設けて、其々ジョグダイヤル６３の駆動嵌合軸６３Ｓと、下流駆動フィン４２の受動嵌合軸４２Ｓと嵌め合って、ジョグダイヤルの回動を、該伝達ロッドを通して下流駆動フィンの回動として伝達できるようになる。
また、受動嵌合部６４Ａと駆動嵌合部６４Ｂとは、駆動嵌合軸６３Ｓと受動嵌合軸４２Ｓに沿ってスライドできるので、上流駆動フィンの回動動作を駆動するためのスライド動作にも干渉しない。
伝達ロッド６４は、ジョグダイヤル６３の伝達アーム６３Ａの相応位置の開口を通して、伝達アーム６３Ａは、下フレームの連結アーム６２Ａの相応位置の開口を通るため、ジョグダイヤル６３の伝達アーム６３Ａの回動、及び伝達ロッド６４の移動が干渉しない。
以上の構造により、上下方向の中央位置の下流メインフィン４１に組み付けた操作ノブ６により、上流駆動フィン５１と下流駆動フィン４２を操作することが両立される。
組立：
【００１７】
図５、図１４〜図１６に示すように、上流駆動フィン５１と上流補助フィン５２を順番に、其々の連結ピンを、上流連結ロッド５３の連結穴に挿入して、上流連結ロッド５３と組付け、上下の上流軸を、其々上、下のリテーナー２１Ａ、２１Ｂの相応の軸受に入れ、其々上、下のリテーナー２１Ａ、２１Ｂに軸支えられて組み付けて、上流フィン５を、其々上、下のリテーナー２１Ａ、２１Ｂと一緒に、管状体本体２０の上、下壁２０Ａ、２０Ｂに沿って、管状体本体２０の相応位置まで差込んで、上流フィンを組付ける。
図５〜図１０に示すように、固定前フィン４１Ａのストッパー４１Ｓと、ジョグダイヤル６３の左右の回転軸を挟んで、且つ該ジョグダイヤル６３の伝達アーム６３Ａが下フレーム６２の連結アーム６２Ａの開口を通るように、上フレーム６１と下フレーム６２を、相応の係止構造で係り止めて、側壁とストッパー４１Ｓとの接触でスライド範囲が限定されるように、該固定前フィンに沿ってスライドでき、且つ該ジョグダイヤルが回動できるように、フレーム６０とジョグダイヤル６３とを固定前フィンに組み付けて、伝達ロッド６４の受動嵌合部６４Ａを、前記ジョグダイヤル６３の駆動嵌合軸６３Ｓと、相対スライドできるように嵌め合って、操作ノブを組付ける。
固定前フィン４１Ａを、左、右リテーナー２１Ｃ、２１Ｄに挟まれて、相応のピンと穴を配合し、回動できないように組付ける。下流駆動フィン４２、可動後フィン４１Ｂ、下流補助フィン４３を順番に、其々の連結ピンを、下流連結ロッド４４の連結穴に挿入して、下流連結ロッド４４と組付け、それぞれ左右両端の回動軸を、前記左、右リテーナー２１Ｃ、２１Ｄの相応の軸受に入れ、其々左、右リテーナー２１Ｃ、２１Ｄに軸支されて組付け、前記伝達ロッド６４の駆動嵌合部６４Ｂと、前記下流駆動フィン４２の受動嵌合軸４２Ｓと、相対スライドできるように嵌め合って、下流駆動フィン４２と操作ノブ６とを連結させる。
左、右リテーナー２１Ｃ、２１Ｄと一緒に、管状体本体２０の左、右壁２０Ｃ、２０Ｄに沿って、操作ノブ６の伝達ラック６２Ｒと、組み付けられた上流フィン５の上流駆動フィン５１の上流ギヤ５１Ｇと噛み合えるように、管状体本体２０の相応位置まで差込んで、上流駆動フィン５１と操作ノブ６とを連結し、それに下流フィンを組付ける。
ベゼル３を管状体２の下流側の吹出口の近くに、其々の係止構造により係り止めて、ベゼルを組付ける。
以上により、前フィン固定レジスタの組付けが完了する。
操作：
【００１８】
図８〜図１３に示すように、本実施例の構造により、前記ノブ６のジョグダイヤル６３を回動して、伝達アーム６３Ａは、下フレームの連結アーム６２Ａの相応位置の開口を通じて回動し、駆動嵌合軸６３Ｓと受動嵌合部６４Ａの嵌合により、伝達ロッド６４は、ジョグダイヤル６３の伝達アーム６３Ａの相応位置の開口を通して上下移動し、また駆動嵌合部６４Ｂと受動嵌合軸４２Ｓの嵌合により、下流駆動フィン４２が回動され、下流連結ロッド４４を介して前記可動後フィンと下流補助フィンが回動される。
図１４〜図１６に示すように、本願の構造により、操作ノブ６を左右方向にスライドすると、上流端の伝達ラック６２Ｒを介して上流ギヤ５１Ｇを回転し、従って、上流駆動フィン５１が回動し、上流連結ロッド５３により連結された上流補助フィンが同期的に回動し始める。
効果：
【００１９】
図４、図１７と図１８に示すように、簡単な構造で、上下の指向方向を調整する時に、下流フィン４の動きが見にくく、見た目がすっきりして、意匠性を損なわない効果が得られた。
【００２０】
また、ベゼル３の開口棚面勾配角を３０°とし、ジョグダイヤル６３の連結アーム６２Ａの下流端の近くに肉抜きなしの案を採用すると、空調用空気の上方向への指向角度が１８．１°となり、指向範囲が最も優れたものとなった。
【符号の説明】
【００２１】
１．      レジスタ
２．      管状体
２０．    管状体本体
２０Ａ．  上壁
２０Ｂ．  下壁
２０Ｃ．  左壁
２０Ｄ．  右壁    
２１．    リテーナー
２１Ａ．  上リテーナー 
２１Ｂ．  下リテーナー
２１Ｃ．  左リテーナー
２１Ｄ．  右リテーナー
２１Ｅ．  上傾斜面
２１Ｆ．  下傾斜面
３．      ベゼル
４．      下流フィン
４１      下流メインフィン
４１Ａ．  固定前フィン
４１Ｓ．  ストッパー
４１Ｂ．  可動後フィン
４２      下流駆動フィン
４２Ｓ．  受動嵌合軸
４３．    下流補助フィン
４４．    下流連結ロッド
５．      上流フィン
５１．    上流駆動フィン
５１Ｇ．  上流ギヤ
５２．    上流補助フィン
５３．    上流連結ロッド
６．      操作ノブ
６０．    フレーム
６１．    上フレーム
６２．    下フレーム
６２Ａ．  連結アーム
６２Ｒ．  伝達ラック
６３．    ジョグダイヤル
６３Ａ．  伝達アーム
６３Ｓ．  駆動嵌合軸
６４．    伝達ロッド
６４Ａ．  受動嵌合部
６４Ｂ．  駆動嵌合部
【図１】
2020093670.tif 000003
【図２】
2020093670.tif 000004
【図３】
2020093670.tif 000005
【図４】
2020093670.tif 000006
【図５】
2020093670.tif 000007
【図６】
2020093670.tif 000008
【図７】
2020093670.tif 000009
【図８】
2020093670.tif 000010
【図９】
2020093670.tif 000011
【図１０】
2020093670.tif 000012
【図１１】
2020093670.tif 000013
【図１２】
2020093670.tif 000014
【図１３】
2020093670.tif 000015
【図１４】
2020093670.tif 000016
【図１５】
2020093670.tif 000017
【図１６】
2020093670.tif 000018
【図１７】
2020093670.tif 000019
【図１８】
2020093670.tif 000020